(57)【要約】【課題】大判化ユニット工法によって、耐火性能が低下しにくい外壁を構築することができるサンドイッチパネルを提供する。【解決手段】サンドイッチパネル１は、略矩形状であり、二枚の金属外皮１０，２０の間に芯材３０を設けてなる。芯材３０は、第一芯材３１と、第一芯材３１よりも耐火性の高い第二芯材３２とで構成されている。サンドイッチパネル１の４つの端部の少なくとも１つの端部において、第二芯材３２は、第一芯材３１よりもサンドイッチパネル１の外周縁側に設けられ、かつ、第一芯材３１と第二芯材３２とは、サンドイッチパネル１の厚み方向と直交する方向において、第一芯材３１と第二芯材３２とに差し込まれる固定具４０により結合されている。【選択図】図２
2019060211.tif 000002
【特許請求の範囲】
【請求項１】
二枚の金属外皮の間に芯材を設けた略矩形状のサンドイッチパネルであって、
前記芯材は、第一芯材と、前記第一芯材よりも耐火性の高い第二芯材とで構成され、
前記サンドイッチパネルの４つの端部の少なくとも１つの端部において、前記第二芯材は、前記第一芯材よりも前記サンドイッチパネルの外周縁側に設けられ、かつ、前記第一芯材と前記第二芯材とは、前記サンドイッチパネルの厚み方向と直交する方向において、前記第一芯材と前記第二芯材とに差し込まれる固定具により結合されている
サンドイッチパネル。
【請求項２】
前記サンドイッチパネルの第一方向の一端側の第一端部には嵌合凸部が形成され、前記第一方向の他端側の第二端部には嵌合凹部が形成され、前記サンドイッチパネルの嵌合凸部は他のサンドイッチパネルの嵌合凹部と嵌合可能に形成されている
請求項１に記載のサンドイッチパネル。
【請求項３】
前記固定具は、少なくとも前記第一端部から、差し込まれている
請求項２に記載のサンドイッチパネル。
【請求項４】
前記サンドイッチパネルは、前記嵌合凸部を複数備える
請求項２又は３に記載のサンドイッチパネル。
【請求項５】
前記複数の嵌合凸部は、各々、前記第二芯材の表面に接触する支持片を有する
請求項４に記載のサンドイッチパネル。
【請求項６】
請求項２乃至５のいずれか一項に記載の複数のサンドイッチパネルと、複数の胴縁材とを備えた壁ユニットであって、
前記複数のサンドイッチパネルは前記複数の胴縁材に取り付けられ、
前記複数のサンドイッチパネルのうち隣接するサンドイッチパネルは、一方のサンドイッチパネルの嵌合凸部と他方のサンドイッチパネルの嵌合凹部とが嵌合されている
壁ユニット。
【発明の詳細な説明】
【技術分野】
【０００１】
本発明は、サンドイッチパネル、及び壁ユニットに関する。
【背景技術】
【０００２】
従来、物流倉庫などの建物に火災が起きた際に災害の広がりを抑えるため、図１０Ａに示すように、建物躯体に胴縁材５１０を取り付けた後、サンドイッチパネル６００を１枚ずつ胴縁材５１０に取り付け、複数並べて外壁５００が構築されている（特許文献１）。サンドイッチパネル６００は、二枚の金属外皮６１０，６２０の間に、接着剤を介して芯材６３０が挟持されてなる。サンドイッチパネル６００は、Ｙ方向の一端部には嵌合凸部６４０を備え、Ｙ方向の他端部には嵌合凹部６５０を備え、Ｘ方向の両端部には遮蔽部６６０，６６０を備える。芯材６３０は、ロックウール６３１及び石膏ボード６３２からなり、石膏ボード６３２が二枚の金属外皮６１０，６２０の間の外周縁の全周にわたって枠状に設けられ、ロックウール６３１は枠状に設けられた石膏ボード６３２の枠内に設けられている。
【０００３】
この外壁５００の縦目地部５００Ａでは、図１０Ｂに示すように、左右方向（Ｘ方向）に隣り合うサンドイッチパネル６００，６００は、その遮蔽部６６０，６６０が突き合せられた状態で、ドリルねじ５２０により胴縁材５１０に留め付けられている。縦目地部５００Ａの屋外側（胴縁材５１０に対してサンドイッチパネル６００が配置される側）には、シーリング５３０及びシール材５４０が配置されている。縦目地部５００Ａの屋内側（胴縁材５１０に対してサンドイッチパネル６００が配置されていない側）には、断熱材５５０及びシール材５６０が配置されている。
【０００４】
しかしながら、このような工法（以下、単板工法という）では、サンドイッチパネル６００の取付けのために、足場の設置が必要である。また、サンドイッチパネル６００を１枚ずつ吊り上げ、建物躯体の胴縁材５１０に取付ける必要があり、手間がかかる。
【０００５】
さらに、縦目地部５００Ａにおいて、図１０Ａ及び図１０Ｂに示すように、サンドイッチパネル６００の屋内側に胴縁材５１０が存在する。そのため、縦目地部５００Ａに水漏れなどが生じた場合、外壁５００の施工完了後の確認のために、縦目地部５００Ａを点検しようとする場合、胴縁材５１０が障害となって、建物の屋内側から縦目地部５００Ａを点検及び確認をできない。そのため、縦目地部５００Ａの点検・確認をするためには、建物の外部に足場の設置が必要となる。
【０００６】
そこで、足場の設置が不要で、省力化や短工期化が可能で、施工完了後でも縦目地部の点検・確認を屋内側から容易に行うことができる工法として、図１１Ａに示すように、地組等によりサンドイッチパネル６００と胴縁材５１０とをドリルねじ５２０で取り付けて一体化した壁ユニット７００を用いる工法（以下、大判化ユニット工法という）が知られている（特許文献２）。大判化ユニット工法では、壁ユニット７００の胴縁材５１０を建物躯体に取り付け、図１１Ｂに示すように、複数並べて、外壁８００が構築される。
【０００７】
この外壁８００の縦目地部８００Ａでは、図１２Ａに示すように、左右方向（Ｘ方向）に隣り合うサンドイッチパネル６００，６００は、その遮蔽部６６０，６６０が突き合せられた状態で配置されている。胴縁材５１０は、縦目地部８００Ａにおいてサンドイッチパネル６００の屋内側には存在しない。縦目地部８００Ａに最も近い胴縁材５１０は、縦目地部８００Ａから左右方向（Ｘ方向）に離れた位置にある。縦目地部８００Ａの屋外側には、シーリング８１０及びシール材８２０，８２０が配置され、屋内側には、断熱材８３０、シール材８４０，８４０及び塞ぎ板８５０が配置されている。
【０００８】
この外壁８００の横目地部８００Ｂでは、図１２Ｂに示すように、上下方向（Ｙ方向）に隣り合うサンドイッチパネル６００，６００は、一方のサンドイッチパネル６００の嵌合凸部６４０が、他方のサンドイッチパネル６００の嵌合凹部６５０に嵌合されている。
【先行技術文献】
【特許文献】
【０００９】
【特許文献１】特開２０１３−１８９７８９号公報
【特許文献２】特開２０１６−１１３８３８号公報
【発明の概要】
【発明が解決しようとする課題】
【００１０】
しかしながら、サンドイッチパネル６００を用いて大判化ユニット工法で施工した外壁８００では、単板工法とは異なり、縦目地部８００Ａにおいて、サンドイッチパネル６００の屋内側に胴縁材５１０が存在しないため、壁ユニット７００を取り付けた建物内で火災が起きた際に、縦目地部８００Ａから横目地部８００Ｂに熱が伝わりやすくなる。そのため、芯材６３０を金属外皮６１０，６２０に固定する接着剤による接着効果が低下し、サンドイッチパネル６００の屋内側の金属外皮６２０が熱変形すると、石膏ボード６３２とロックウール６３１との間に隙間ができるおそれがある。そのため、外壁８００の耐火性能が低下するおそれがある。
【００１１】
そこで、本発明の目的は、大判化ユニット工法によって、耐火性能が低下しにくい外壁を構築することができるサンドイッチパネル、及び壁ユニットを提供することである。
【課題を解決するための手段】
【００１２】
本発明のサンドイッチパネルは、二枚の金属外皮の間に芯材を設けた略矩形状のサンドイッチパネルであって、前記芯材は、第一芯材と、前記第一芯材よりも耐火性の高い第二芯材とで構成され、前記サンドイッチパネルの４つの端部の少なくとも１つの端部において、前記第二芯材は、前記第一芯材よりも前記サンドイッチパネルの外周縁側に設けられ、かつ、前記第一芯材と前記第二芯材とは、前記サンドイッチパネルの厚み方向と直交する方向において、前記第一芯材と前記第二芯材とに差し込まれる固定具により結合されている。
【００１３】
前記サンドイッチパネルの第一方向の一端側の第一端部には嵌合凸部が形成され、前記第一方向の他端側の第二端部には嵌合凹部が形成され、前記サンドイッチパネルの嵌合凸部は他のサンドイッチパネルの嵌合凹部と嵌合可能に形成されていることが好ましい。
【００１４】
前記固定具は、少なくとも前記一端部から、差し込まれていることが好ましい。
【００１５】
前記サンドイッチパネルは、前記嵌合凸部を複数備えることが好ましい。
【００１６】
前記複数の嵌合凸部は、各々、前記第二芯材の表面に接触する支持片を有し、前記固定具は複数の前記支持片の間に設けられていることが好ましい。
【００１７】
本発明の壁ユニットは、複数の前記サンドイッチパネルと、複数の胴縁材とを備えた壁ユニットであって、前記複数のサンドイッチパネルは前記複数の胴縁材に取り付けられ、前記複数のサンドイッチパネルのうち隣接するサンドイッチパネルは、一方のサンドイッチパネルの嵌合凸部と他方のサンドイッチパネルの嵌合凹部とが嵌合されている。
【発明の効果】
【００１８】
本発明のサンドイッチパネル、及び壁ユニットは、略矩形状であるサンドイッチパネルの４つの端部の少なくとも１つの端部において、第二芯材は、第一芯材よりもサンドイッチパネルの外周縁側に設けられ、かつ、第一芯材と第二芯材とは、サンドイッチパネルの厚み方向と直交する方向において第一芯材と第二芯材とに差し込まれる固定具により結合されているので、大判化ユニット工法によって、耐火性能が低下しにくい外壁を構築することができる。
【図面の簡単な説明】
【００１９】
【図１】図１は、本発明の実施形態に係る壁ユニットを示す概略斜視図である。
【図２】図２は、図１中の切断線Ｅ−Ｅに従って切断した、本発明の実施形態に係るサンドイッチパネルの接続構造を示す概略側断面図である。
【図３】図３は、同上のサンドイッチパネルの側断面図である。
【図４】図４は、同上のサンドイッチパネルの一端部側の概略平断面図である。
【図５】図５Ａは、本発明の実施形態における固定具の概略正面図である。図５Ｂは、本発明の実施形態における固定具の概略側面図である。
【図６】図６は、同上の壁ユニットを用いて大判化ユニット工法より構築された外壁の概略斜視図である。
【図７】図７は、同上の壁ユニットの縦目地部の構造を示す概略平断面図である。
【図８】図８Ａは、他の実施形態に係るサンドイッチパネルの側断面図である。図８Ｂは、さらに他の実施形態に係るサンドイッチパネルの側断面図である。
【図９】図９Ａは、さらに他の実施形態に係るサンドイッチパネルの概略平断面図である。図９Ｂは、さらに他の実施形態に係るサンドイッチパネルの概略平断面図である。図９Ｃは、さらに他の実施形態に係るサンドイッチパネルの概略平断面図である。
【図１０】図１０Ａは、従来のサンドイッチパネルを用いて単板工法により構築された外壁を示す概略斜視図である。図１０Ｂは、図１０Ａ中の切断線Ｆ−Ｆに従って切断した、外壁の縦目地部の構造を示す概略側断面図である。
【図１１】図１１Ａは、従来のサンドイッチパネルを用いた壁ユニットの概略斜視図である。図１１Ｂは、従来の壁ユニットを用いて大判化ユニット工法により構築された外壁を示す概略斜視図である。
【図１２】図１２Ａは、図１１Ｂ中の切断線Ｇ−Ｇに従って切断した、外壁の縦目地部の構造を示す概略側断面図である。図１２Ｂは、図１１Ｂ中の切断線Ｈ−Ｈに従って切断した、外壁の縦目地部の構造を示す概略側断面図である。
【発明を実施するための形態】
【００２０】
以下、本発明を添付図面に示す実施形態に基づいて説明する。
【００２１】
〔本実施形態に係るサンドイッチパネル１〕
本実施形態に係るサンドイッチパネル１は、図１に示すように、第一方向である上下方向（Ｙ方向）に並べられた複数枚のサンドイッチパネル１に、左右方向（Ｘ方向）に並ぶ複数本の胴縁材６０が取り付けられて大判化された横張り構造の壁ユニット２の部材に好適に用いられる。以下では、図２に示す固定状態を基準とし、胴縁材６０に対してサンドイッチパネル１が配置される側を屋外側とし、その逆側を屋内側として、説明する。なお、本実施形態では、第一方向は、重力方向に対して平行な方向である。
【００２２】
サンドイッチパネル１は、図２及び図３に示すように、屋外側に面する第一金属外皮１０と、屋内側に面する第二金属外皮２０との間に芯材３０を設けたものであり、Ｘ方向を長手方向とし、Ｙ方向を短手方向とし、Ｚ方向を厚み方向とする。このように、サンドイッチパネル１は、図１に示すように、略長方形状である。
【００２３】
図３に示すように、サンドイッチパネル１のＹ方向の一端側の第一端部１Ａ（以下、上端部１Ａ）には、第一嵌合凸部１１及び第二嵌合凸部２１（以下、まとめて嵌合凸部１１，２１という場合がある）が、サンドイッチパネル１の厚み方向（Ｚ方向）に所定の間隔を置いて形成されている。サンドイッチパネル１のＹ方向の他端側の第二端部１Ｂ（以下、下端部１Ｂ）には、第一嵌合凹部１２及び第二嵌合凹部２２がサンドイッチパネル１の厚み方向（Ｚ方向）に所定の間隔を置いて形成されている。図２に示すように、サンドイッチパネル１の第一嵌合凸部１１は、他のサンドイッチパネル１の第一嵌合凹部１２と嵌合可能に形成されている。サンドイッチパネル１の第二嵌合凸部２１は、他のサンドイッチパネル１の第一嵌合凹部２２と嵌合可能に形成されている。図４に示すように、サンドイッチパネル１のＸ方向の一端側の第三端部１Ｃ及びＸ方向の他端側の第四端部１Ｄには、下端部１Ｂから上端部１Ａにかけて連続的に遮蔽部１５が形成されている。
【００２４】
芯材３０は、第一芯材３１と、第一芯材３１よりも耐火性の高い第二芯材３２とで構成されている。サンドイッチパネル１では、ＸＹ平面において、第二芯材３２は、第一金属外皮１０及び第二金属外皮２０（以下、まとめて金属外皮１０，２０という場合がある）の間の外周縁の全周にわたって枠状に設けられている。第一芯材３１は、枠状に設けられた第二芯材３２の枠内に設けられている。このように、サンドイッチパネル１の４つの端部１Ａ，１Ｂ，１Ｃ，１Ｄのうちの上端部１Ａにおいて、図２乃至図４に示すように、第二芯材３２は、第一芯材３１よりもサンドイッチパネル１の外周縁側である上端部１Ａ側に設けられている。さらに、上端部１Ａにおいて、第一芯材３１と第二芯材３２とは、図２乃至図４に示すように、サンドイッチパネル１の厚み方向（Ｚ方向）と直交する方向であるＹ方向において第一芯材３１と第二芯材３２とに差し込まれる固定具４０により結合されている。ここで、耐火性がより高いとは、火災の炎又は熱に曝されても、焼損又は溶損がより発生しにくいことをいう。
【００２５】
本実施形態では、上述したように、上端部１Ａにおいて、第二芯材３２は、第一芯材３１よりもサンドイッチパネル１の外周縁側に設けられている。さらに、第一芯材３１と第二芯材３２とは、サンドイッチパネル１の厚み方向に直交する方向であるＹ方向において、第一芯材３１と第二芯材３２とに差し込まれる固定具４０により結合されている。そのため、大判化ユニット工法によって複数枚のサンドイッチパネル１を用いて構築された外壁において、例えば、サンドイッチパネル１を取り付けた建物の火災時に屋内側に面する第二金属外皮２０が熱変形しても、第二芯材３２は第一芯材３１と機械的に固定されたままとなり、第二芯材３２と第一芯材３１との間に隙間が発生しにくくなるため、外壁の耐火性能は低下しにくい。
【００２６】
［金属外皮１０，２０］
金属外皮１０，２０は、金属板をロール加工、プレス加工などにより所望の形状に成形することによって得られる。金属板は、例えば、厚みが０．２５ｍｍ以上２．０ｍｍ以下である。金属板としては、例えば、塗装鋼板、亜鉛めっき鋼板、アルミニウム−亜鉛合金めっき鋼板、ガルバリウム鋼板（登録商標）、エスジーエル（登録商標）鋼板などを用いることができる。
【００２７】
（第一金属外皮１０）
第一金属外皮１０は、図３及び図４に示すように、その外周端部が屋内側に折り曲げた形状をなしており、いわゆる端部箱折り形状である。
【００２８】
第一金属外皮１０は、図４に示すように、芯材３０の屋外側の面に重ねられる表面カバー部１３と、芯材３０の左右方向（Ｘ方向）の側面に重ねられる一対の側面カバー部１４，１４と、側面カバー部１４の屋内側の端部から第一金属外皮１０のＸ方向に向けて突出する遮蔽部１５，１５とを有する。
【００２９】
側面カバー部１４は、図４に示すように、表面カバー部１３の左右方向（Ｘ方向）の両端部から屋内側に向けて折り返されている。表面カバー部１３と左右一対の遮蔽部１５，１５は略平行である。左右一対の側面カバー部１４，１４は、表面カバー部１３及び左右一対の遮蔽部１５，１５に対して略垂直である。
【００３０】
左右一対の側面カバー部１４，１４は、図４に示すように、サンドイッチパネル１の厚み方向（Ｚ方向）の長さＬ１，Ｌ２が厚み方向（Ｚ方向）互いに異なる。そのため、左右一対の遮蔽部１５，１５は、サンドイッチパネル１の厚み方向（Ｚ方向）の位置が、若干ずれている。これにより、サンドイッチパネル１を２枚左右方向（Ｘ方向）に並べたときに、２枚のサンドイッチパネル１，１の表面カバー部１３の厚み方向（Ｚ方向）の位置を合わせたうえで、左右２枚のサンドイッチパネル１の遮蔽部１５，１５同士を厚み方向（Ｚ方向）に並べて重ねることができ、２枚のサンドイッチパネル１の側面カバー部１４，１４間の縦目地を通じて屋内側に雨水が浸入することを遮蔽部１５，１５によって抑制することができる。
【００３１】
左右一対の遮蔽部１５，１５には、シール材１６が取り付けられる。シール材１６は、サンドイッチパネル１を２枚左右方向（Ｘ方向）に並べたときに、サンドイッチパネル１の厚み方向（Ｚ方向）に重なる２つの遮蔽部１５，１５間の隙間を上下方向（Ｙ方向）に亘ってシールする。
【００３２】
シール材１６は、平断面略Ｕ字状であり、遮蔽部１５の先端部を差込可能な溝を有する。シール材１６は、遮蔽部１５の先端部を屋外側から屋内側にかけて覆う。サンドイッチパネル１を２枚左右方向（Ｘ方向）に並べたときに、一方のサンドイッチパネル１の側面カバー部１４に他方のサンドイッチパネル１の遮蔽部１５の先端をシール材１６を介して当てることができ、これによりシール材１６によって側面カバー部１４と遮蔽部１５との間の左右方向（Ｘ方向）の隙間をシール可能である。
【００３３】
表面カバー部１３は、図３に示すように、平板状の化粧面部１１０と、化粧面部１１０の下端部に連設された断面略Ｕ字状の折り返しスカート部１２０と、折り返しスカート部１２０に連設された端縁部１３０とを有する。表面カバー部１３は、化粧面部１１０の上端部に連設された溝形状の凹段部１４０と、凹段部１４０の上端部に連設された屋外側折り返し部１５０とを有する。化粧面部１１０は、上端部から下端部に亘って接着剤を介して芯材３０に接着されている。
【００３４】
凹段部１４０は、化粧面部１１０の上端部から屋内側に向けて略水平に突出する下溝壁部１４１と、下溝壁部１４１の屋内側端部から上方に向けて突出する底溝壁部１４２と、底溝壁部１４２の上端部から屋外側に向けて略水平に突出する上溝壁部１４３とを有する。上溝壁部１４３の屋外側端部は、下溝壁部１４１の屋外側端部よりも屋内側に位置している。凹段部１４０は、下溝壁部１４１と底溝壁部１４２が接着剤を介して芯材３０に接着されている。
【００３５】
屋外側折り返し部１５０は、上下方向（Ｙ方向）に長い折り返し形状である。屋外側折り返し部１５０は、上溝壁部１４３の屋外側端部から上方に向けて突出する立ち上がり部１５１と、立ち上がり部１５１の上端部から屋内側に向けて略水平に突出する先端部１５２と、先端部１５２の屋内側端部から下方に向けてジグザグに突出する機能部１５３と、機能部１５３の下端から屋内側に向けて略水平に突出する支持片１５４とを有する。
【００３６】
機能部１５３は、先端部１５２の屋内側端部から屋内側ほど下方に位置するように突出する傾斜部１５５と、この傾斜部１５５の下端部に連続する被係止用凹部１５６とを有する。被係止用凹部１５６は、機能部１５３の下部に位置する。被係止用凹部１５６は、屋外側に略Ｖ字状に凹んだ溝状であり、上溝壁部１５７と下溝壁部１５８とを有する。
【００３７】
上溝壁部１５７は、傾斜部１５５の下端部から屋外側ほど下方に位置するように突出している。下溝壁部１５８は、上溝壁部１５７の屋外側端部から屋内側ほど下方に位置するように突出している。下溝壁部１５８の屋内側端部である下端部から、支持片１５４が屋内側に向けて略水平に突出している。
【００３８】
折り返しスカート部１２０は、上下方向（Ｙ方向）に細長い断面略Ｕ字状のものである。折り返しスカート部１２０は、化粧面部１１０の下端部から下方に向けて突出する垂下部１２１と、垂下部１２１の下端部から屋内側に向けて突出する円弧状の先端部１２２と、先端部１２２の屋内側端部から上方に向けて突出する第一溝側壁部１２３とを有する。第一溝側壁部１２３の上端部に、端縁部１３０が連接されている。サンドイッチパネル１は、折り返しスカート部１２０の内部には、芯材３０が配置されていない。
【００３９】
端縁部１３０は、第一溝側壁部１２３の上端部から屋内側に向けて略水平に突出する溝底壁部１３１と、溝底壁部１３１の屋内側端部から下方に向けてジグザグに突出する溝側壁部１３２と、溝側壁部１３２の下端部である屋内側端部から屋内側に向けて略水平に突出する支持片１３３とを有する。溝側壁部１３２は、溝底壁部１３１の屋内側端部から屋内側ほど下方に位置するように突出する傾斜部１３４と、傾斜部１３４の下端部に連続する係止用凸部１３５とを有する。係止用凸部１３５は、溝側壁部１３２の下部に位置する。傾斜部１３４と支持片１３３は、接着剤によって芯材３０に接着されている。
【００４０】
屋外側折り返し部１５０の立ち上がり部１５１は、図３に示すように、化粧面部１１０よりも屋内側に位置する。凹段部１４０の底溝壁部１４２は、立ち上がり部１５１よりも屋内側に位置する。これにより、屋外側折り返し部１５０と凹段部１４０の屋外側に、図２に示すように、折り返しスカート部１２０が収納される。さらに、凹段部１４０の屋外側には、図２に示すように、第一固着具７０の頭部７１が収納される。第一固着具７０としては、例えば、ドリルねじ、ビス、釘などを用いることができる。
【００４１】
屋外側折り返し部１５０がサンドイッチパネル１の屋外側の第一嵌合凸部１１を構成する。折り返しスカート部１２０及び端縁部１３０がサンドイッチパネル１の屋外側の第一嵌合凹部１２を構成する。詳しくは、折り返しスカート部１２０が嵌合凹部１２の屋外側の側壁を構成し、端縁部１３０の溝底壁部１３１が第一嵌合凹部１２の底壁を構成し、端縁部１３０の溝側壁部１３２が第一嵌合凹部１２の屋内側の側壁を構成する。
【００４２】
係止用凸部１３５と被係止用凹部１５６は、図２に示すように、２枚のサンドイッチパネル１，１を第一嵌合凹部１２と第一嵌合凸部１１との嵌合により接続した場合に、サンドイッチパネル１の厚み方向（Ｚ方向）に離れた箇所に位置するように形成される。
【００４３】
（第二金属外皮２０）
サンドイッチパネル１の第二金属外皮２０は、平板部２１０と、平板部２１０の上端部に連設された屋内側第一折り返し部２２０と、平板部２１０の下端部に連設された屋内側第二折り返し部２３０と、屋内側第二折り返し部２３０に連接された端縁部２４０とを備える。第二金属外皮２０の平板部２１０は、芯材３０の屋内側の面に左右方向（Ｘ方向）に亘って接着されている。
【００４４】
屋内側第一折り返し部２２０は、上下方向（Ｙ方向）に細長い断面略Ｕ字状のものである。屋内側第一折り返し部２２０は、平板部２１０の上端部から屋外側に向けて略水平に突出する支持片２２１と、支持片２２１の屋外側端部から上方に向けて突出する立ち上がり部２２２と、立ち上がり部２２２の上端部から屋外側に向けて略水平に突出する先端部２２３と、先端部２２３の屋外側端部から下方に向けて突出する垂下部２２４と、垂下部２２４の下端部から屋外側に向けて略水平に突出する支持片２２５とを有する。支持片２２１と先端部２２３と支持片２２５は略平行である。立ち上がり部２２２と垂下部２２４は、略平行であり、支持片２２１と先端部２２３と支持片２２５に対して略垂直である。
【００４５】
立ち上がり部２２２は、平板部２１０よりも屋内側第二折り返し部２３０の厚み分だけ屋外側に位置する。これにより、図２に示すように、立ち上がり部２２２の屋内側に、屋内側第二折り返し部２３０が収納される。
【００４６】
屋内側第二折り返し部２３０は、上下方向（Ｙ方向）に細長い断面略Ｕ字状のものである。屋内側第二折り返し部２３０は、平板部２１０の下端部から下方に向けて突出する垂下部２３１と、垂下部２３１の下端部から屋外側に向けて円弧状に突出する先端部２３２と、先端部２３２の屋外側端部から上方に向けて突出する溝側壁部２３３とを有する。
【００４７】
端縁部２４０は、溝側壁部２３３の上端部から屋外側に向けて略水平に突出する支持片２４１と、支持片２４１の屋外側端部から下方に向けて突出する溝側壁部２４２と、溝側壁部２４２の下端部から屋外側に向けて略水平に突出する支持片２４３とを有する。支持片２４１と支持片２４３は略平行であり、溝側壁部２４２と溝側壁部２３３と垂下部２３１は略平行である。支持片２４１と支持片２４３は、溝側壁部２４２と溝側壁部２３３と垂下部２３１に対して略垂直である。
【００４８】
屋内側第二折り返し部２３０は、サンドイッチパネル１の厚み方向（Ｚ方向）の長さが、支持片２２１のサンドイッチパネル１の厚み方向（Ｚ方向）の長さよりも若干短い。また、支持片２４１は、サンドイッチパネル１の厚み方向（Ｚ方向）の長さが、立ち上がり部２２２と垂下部２２４との間の距離よりも若干長い。
【００４９】
屋内側第一折り返し部２２０は、屋外側折り返し部１５０と略同じ上下長さで形成されている。端縁部２４０の溝側壁部２４２は、溝側壁部１３２と略同じ上下長さである。屋内側第二折り返し部２３０は、端縁部２４０の溝側壁部２４２よりも若干短い上下長さとなっている。
【００５０】
第二金属外皮２０では、屋内側第一折り返し部２２０がサンドイッチパネル１の屋内側の第二嵌合凸部２１を構成し、屋内側第二折り返し部２３０と端縁部２４０がサンドイッチパネル１の屋内側の第二嵌合凹部２２を構成する。更に詳しくは、屋内側第二折り返し部２３０が第二嵌合凹部２２の屋内側の側壁を構成し、端縁部２４０の支持片２４１が第二嵌合凹部２２の底壁を構成し、端縁部２４０の溝側壁部２４２が第二嵌合凹部２２の屋外側の側壁を構成する。
【００５１】
［芯材３０］
芯材３０は、第一芯材３１と、第一芯材３１よりも耐火性の高い第二芯材３２とで構成されている。
【００５２】
サンドイッチパネル１の上端部１Ａにおいて、図３及び図４に示すように、第二芯材３２には、Ｘ方向に所定の間隔Ｄを空けて固定具４０が複数本打ち込まれており、第二芯材３２は複数の固定具４０によって、第一芯材３１に固定されている。複数の固定具４０を打ち込む間隔Ｄは、例えば、３００ｍｍ程度である。
【００５３】
サンドイッチパネル１の下端部１Ｂにおいて、図３に示すように、第一芯材３１と第二芯材３２とは、接着層５０により結合されている。
【００５４】
また、図２及び図３に示すように、第二芯材３２の表面は、支持片１５４及び支持片２２５と接触している。これにより、火災時に、石膏ボード３２とロックウール３１との間に隙間が発生しにくくなる。
【００５５】
（第一芯材３１）
第一芯材３１は、図２及び図３に示すように、複数のブロック体３３が上下方向（Ｙ方向）に並んで構成されている。複数のブロック体３３のそれぞれは、無機繊維体をバインダー等でブロック状に固めたものである。複数のブロック体３３は、上下方向（Ｙ方向）の長さが互いに同じであり、厚み方向（Ｚ方向）の長さが互いに同じである。複数のブロック体３３は、隣接する側面同士が直接接しており、これにより、全体として１枚の略矩形板状の第一芯材３１が形成されている。無機繊維体としては、例えば、ロックウール、グラスウール、セラミックファイバーなどが挙げられる。第一芯材３１の材質としては、断熱性能と共に耐火性能を有するロックウール、グラスウール、フェノールフォームなどを用いることが好ましい。無機繊維体の密度は好ましくは１２０ｋｇ／ｍ３以上２００ｋｇ／ｍ３以下である。
【００５６】
（第二芯材３２）
第二芯材３２の材質は、第一芯材３１よりも耐火性が高い材質であればよく、例えば、耐火性を有する石膏ボード、無機質材料などを用いることができる。無機質材料としては、例えば、珪酸カルシウムなどを用いることができる。
【００５７】
（固定具４０）
固定具４０は、図５Ａ及び図５Ｂに示すように、２本の足部４１，４１と、これら足部４１，４１を連結する連結部４２とを有する、二股のＵ字型の釘（ステープル）である。固定具４０の寸法は、第二芯材３２の左右方向（Ｘ方向）の長さなどに応じて適宜調整すればよい。具体的に、外幅Ｓ１は、好ましくは４ｍｍ以上２２ｍｍ以下、より好ましくは１６ｍｍ以上２２ｍｍ以下である。足長さＳ２は、好ましくは２２ｍｍ以上３８ｍｍ以下、より好ましくは３２ｍｍ以上３８ｍｍ以下である。線厚Ｓ３は、好ましくは０．７ｍｍ以上１．６ｍｍ以下、より好ましくは１．３ｍｍ以上１．６ｍｍ以下である。線幅Ｓ４は、好ましくは０．７ｍｍ以上１．６ｍｍ以下、より好ましくは１．３ｍｍ以上１．６ｍｍ以下である。固定具４０の材質としては、例えば、鉄、ステンレス鋼などが挙げられる。
【００５８】
固定具４０は、図４に示すように、連結部４２の長手方向が左右方向（Ｘ方向）と平行に打ち込まれている。これにより、左右方向（Ｘ方向）における単位長さ当たりの足部４１の差し込み本数を、固定具４０の１回の打ち込みで２本とすることができ、例えば、サンドイッチパネル１を取り付ける建物の火災時（加熱時）に、屋内側に面する第二金属外皮２０が熱変形しても、第二芯材３２と第一芯材３１との間の隙間の発生をより抑制することができる。さらに、固定具４０を打ち込むための機器の先端を支持片２４３又は支持片１３３の間に保持しやすく、作業性により優れる。また、金属外皮１０，２０が火災時に加熱側へ変形した際に、第二芯材３２は金属外皮１０，２０の変形に追従せず、第一芯材３１及び第二芯材３２が元の位置に留まることが耐火性能を満足する上で重要である。そのためには、金属外皮１０，２０と固定具４０とは、機械的に独立させておく必要がある。例えば、連結部４２の長手方向が厚み方向（Ｚ方向）に対して平行となるように、固定具４０を取り付ける場合、固定具４０の足部４１が支持片２２５又は支持片１５４を貫通して、固定具４０が打ち込まれるおそれがある。そうすると、加熱時の金属外皮１０，２０の加熱側への変形に対して固定具４０が追従してしまい、第二芯材３２と第一芯材３１との間に隙間が発生しやすくなるおそれがある。
【００５９】
固定具４０を打ち込む本数は、第二芯材３１の左右方向（Ｘ方向）の長さ、固定具４０の外幅Ｓ１の長さなどに応じて適宜調整すればよい。さらに、サンドイッチパネル１の上端部１Ａにおいて、第一芯材３１と第二芯材３２とは、接着層５０により結合されていてもよい。
【００６０】
本実施形態では、固定具４０として、ステープルを用いるが、本発明はこれに限定されない。その例として、固定具４０として、一本足の釘を用いることができる。一本足の釘としては、例えば、ドリルねじ、ビス、釘などを用いることができる。
【００６１】
［本実施形態に係るサンドイッチパネル１の製造方法］
サンドイッチパネル１の製造方法の一例について説明する。
【００６２】
まず、第一金属外皮１０の両端の略水平部（支持片１５４，１３３）と第二金属外皮２０の両端の略水平部（支持片２２５，２４３）とを略同じ高さに位置合わせするようにして第一金属外皮１０と第二金属外皮２０とを対向配置する。
【００６３】
次いで、第一芯材３１の屋外側の面と、表面カバー部１３のうち凹段部１４０の上下方向（Ｙ方向）の中央部から化粧面部１１０の下端部までの部位とを、接着剤を用いて接着する。そして、第一芯材３１の屋内側の面と、平板部２１０のうち表面カバー部１３の前記部位に対向する部位とを、接着剤を用いて接着する。ここで、第一芯材３１は、図４に示すように、表面カバー部１３のうち左右方向（Ｘ方向）の両端部を除く部分の前記部位に接着させ、且つ平板部２１０のうち左右方向（Ｘ方向）の両端部を除く部分の前記部位に接着させる。
【００６４】
そして、横長の第二芯材３２の屋外側の面と、表面カバー部１３のうち凹段部１４０の上端部から凹段部１４０の上下方向（Ｙ方向）の中央部までの部位とを、接着剤を用いて接着する。さらに、図３に示すように、第二芯材３２の上端部の面と第一芯材３１の下端部の面とを接着層５０を介して接着すると同時に、第二芯材３２の屋外側の面と、表面カバー部１３のうち傾斜部１３４及び支持片１３３の屋内側の面とを、接着剤を用いて接着する。
【００６５】
そして、第二芯材３２の屋内側の面と、平板部２１０のうち表面カバー部１３の前記部位に対向する部位とを、接着剤を用いて接着する。ここで、横長の第二芯材３２は、表面カバー部１３の中央部の左右方向（Ｘ方向）の全長に亘るように前記部位に接着させ、且つ平板部２１０のうち表面カバー部１３の前記部位に対向する部位に接着させる。
【００６６】
そして、図４に示すように、左右方向（Ｘ方向）に離して配置した一対の縦長の第二芯材３２の屋外側の面と、表面カバー部１３のうち左右方向（Ｘ方向）の両端部とを、接着剤を用いて接着する。このとき、左右一対の側面カバー部１４，１４はそれぞれ、第二芯材３２の左右方向（Ｘ方向）の外側の面に、直接接している。そして、左右一対の縦長の第二芯材３２，３２の屋内側の面と、平板部２１０のうち表面カバー部１３の前記部位に対向する左右方向（Ｘ方向）の両端部とを、接着剤を用いて接着する。
【００６７】
最後に、図４に示すように、サンドイッチパネル１の上端部１Ａから、複数の固定具４０を打ち込み、第一芯材３１と第二芯材３２とに固定具４０を差し込む。
【００６８】
以上のようにして、第一金属外皮１０と第二金属外皮２０の間に第一芯材３１及び第二芯材３２とを配置することで、サンドイッチパネル１が形成される。
【００６９】
［本実施形態に係る壁ユニット２］
本実施形態に係る壁ユニット２は、図１に示すように、複数のサンドイッチパネル１と、複数の胴縁材６０とを備える。複数のサンドイッチパネル１は、上下方向（Ｙ方向）に並び、これら複数枚のサンドイッチパネル１が、左右方向（Ｘ方向）に並ぶ複数の胴縁材６０に取り付けられている。複数のサンドイッチパネル１のうち隣接するサンドイッチパネル１，１は、一方のサンドイッチパネル１の嵌合凸部１１，２１と他方のサンドイッチパネルの嵌合凹部１２，２２とが嵌合されている。この壁ユニット２は、胴縁材６０を介して建物躯体に取付けられ、図６に示すように、複数並べて外壁３が構築される。
【００７０】
このように大判化ユニット工法で施工した外壁３の縦目地部では、図７に示すように、左右方向（Ｘ方向）に隣り合うサンドイッチパネル１，１は、その遮蔽部１５，１５が突き合せられた状態で配置されている。胴縁材６０は、縦目地部３Ａにおいて、サンドイッチパネル１の屋内側には存在しない。縦目地部３Ａに最も近い胴縁材６０は、縦目地部３Ａから左右方向（Ｘ方向）に離れた位置にある。左右方向（Ｘ方向）に隣り合うサンドイッチパネル１，１の屋内側には、第二固着具８１によって、縦目地部３Ａに跨がり縦目地部３Ａの長手方向に沿って延びる板状の塞ぎ板８０が取付けられている。第二固着具８１としては、バルブタイト、ドリルビスなどを用いることができる。塞ぎ板８０の取付けは、屋内側から行なわれる。この塞ぎ板８０とサンドイッチパネル１，１の屋内側の面との間にはシーリングテープ８２及びシール材８３が介在している。
【００７１】
縦目地部３Ａの内部の屋内側には断熱材８４が、縦目地部３Ａの内部の屋外側にはシーリング８５がそれぞれ介在している。断熱材８４としては、セラミックファイバーなどを用いることができる。目地シール８６が第二芯材３２の木口面の屋外側の部分を覆って配置されている。シーリング８５は、例えば湿式のシーリング材からなるが、乾式のガスケットを用いても良い。塞ぎ板８０は、鋼板等の金属板からなる。
【００７２】
サンドイッチパネル１を取付けた後、縦目地部３Ａにおける施工は下記の工程（１）〜（４）をこの順で行う。
（１）縦目地部３Ａ内の屋外側の部分へのシーリング８５を配置する。
（２）縦目地部３Ａ内の屋内側の部分への断熱材８４を配置する。
（３）左右に隣り合うサンドイッチパネル１，１の縦目地部３Ａ付近のシール材８３及びシーリングテープ８２を配置する。
（４）縦目地部３Ａを跨ぐ左右に隣り合うサンドイッチパネル１，１の裏面への塞ぎ板８０を取付ける。
【００７３】
［他の実施形態］
本実施形態では、第一芯材３１と第二芯材３２とは、上端部１Ａから差し込まれる固定具４０により結合されているが、本発明はこれに限定されず、サンドイッチパネル１の４つの端部１Ａ，１Ｂ，１Ｃ，１Ｄの少なくとも１つの端部において、第一芯材３１と第二芯材３２とは、サンドイッチパネル１の厚み方向（Ｚ方向）と直交する方向において、第一芯材３１と第二芯材３２とに差し込まれる固定具４０により結合されていればよい。その例として、固定具４０が打ち込まれる端部は、図８Ａに示すように上端部１Ａ及び下端部１Ｂ、図８Ｂに示すように下端部１Ｂ、図９Ａに示すように第三端部１Ｃ及び第四端部１Ｄ、図９Ｂに示すように第三端部１Ｃ、図９Ｃに示すように第四端部１Ｄ、図３及び図９Ａに示すように上端部１Ａ、第三端部１Ｃ及び第四端部１Ｄ、図８Ａ及び図９Ａに示すように上端部１Ａ、下端部１Ｂ、第三端部１Ｃ及び第四端部１Ｄなどであってもよい。固定具４０が下端部１Ｂに打ち込まれる際、本実施形態と同様に、固定具４０はＸ方向に所定の間隔Ｄを空けて複数本打ち込まれていてもよい。第三端部１Ｃ及び第四端部１Ｄの少なくとも一方から固定具４０が打ち込まれる場合、固定具４０は、Ｙ方向に所定の間隔を空けて複数本打ち込まれていてもよい。また、固定具４０は、一方の足部４１が第一芯材３１に差し込まれ、他方の足部４１が第二芯材３２に差し込まれるように、打ち込まれていてもよい。
【００７４】
本実施形態では、ＸＹ平面において、第二芯材３２は、金属外皮１０，２０の間の外周縁の全周にわたって枠状に設けられているが、本発明はこれに限定されず、サンドイッチパネル１の４つの端部１Ａ，１Ｂ，１Ｃ，１Ｄの少なくとも１つの端部において、第二芯材３２は、第一芯材３１よりもサンドイッチパネル１の外周縁側に設けられていればよい。その例として、サンドイッチパネル１の下端部１Ｂにおいて、第二芯材３２は、第一芯材３１よりもサンドイッチパネル１の外周縁側である下端部１Ａに設けられていてもよい。
【００７５】
本実施形態では、Ｘ方向を長手方向、Ｙ方向を短手方向とする略長方形状のサンドイッチパネルであるが、本発明はこれに限定されず、矩形状であればよい。その例として、略正方形状のサンドイッチパネル１であってもよいし、Ｘ方向を短手方向、Ｙ方向を長手方向とする略長方形状のサンドイッチパネルであってもよい。
【００７６】
本実施形態では、第一方向（Ｙ方向）が重力方向に対して平行な方向であり、サンドイッチパネル１は横張り用パネルであるが、本発明はこれに限定されない。その例として、第一方向（Ｙ方向）が重力方向に対して鉛直な方向であり、サンドイッチパネル１は縦張り用パネルであってもよい。
【００７７】
本実施形態では、第一方向（Ｙ方向）が重力方向に対して平行な方向であり、壁ユニット２は横張り構造であるが、本発明はこれに限定されない。その例として、第一方向（Ｙ方向）が重力方向に対して鉛直な方向であり、壁ユニット２は縦張り構造であってもよい。
【００７８】
本実施形態では、上端部１Ａには嵌合凸部を２つ備え、下端部１Ｂには嵌合凹部を２つ備えるが、本発明はこれに限定されない。その例として、１つの嵌合凸部を備え、１つの嵌合凹部を備える構成であってもよいし、３つ以上の複数の嵌合凸部を備え、３つ以上の複数の嵌合凹部を備える構成であってもよい。この際、固定具４０は、複数の嵌合凸部の間に設けられていればよい。これにより、サンドイッチパネルと、他のサンドイッチパネルとの嵌合がより外れにくくすることができる。
【００７９】
本実施形態では、第一嵌合凸部１１は第二芯材３２の表面に接触する支持片１５４を有し、第二嵌合凸部２１は第二芯材３２の表面に接触する支持片２２５を有し、固定具４０は、支持片１５４及び支持片２２５の間に設けられているが、本発明はこれに限定されない。その例として、複数の嵌合凸部は、各々、第二芯材の表面に接触する支持片を有し、固定具４０は複数の支持片の間に設けられていればよい。これにより、火災時に、第一芯材３１と第二芯材３２との間に隙間が発生しにくくなり、耐火性能がより低下しにくい外壁を構築することができる。
【００８０】
本実施形態では、固定具４０は、図４に示すように、連結部４２の長手方向が左右方向（Ｘ方向）と平行に打ち込まれているが、本発明はこれに限定されず、固定具４０の足部４１が金属外皮１０，２０（例えば、支持片２２５、支持片１５４）を貫通しなければ、連結部４２の長手方向が厚み方向（Ｚ方向）と平行に打ち込まれていてもよい。本実施形態では、遮蔽部１５にシール材１６が取り付けられているが、本発明はこれに限定されず、遮蔽部１５にシール材１６が取り付けられていなくてもよい。本実施形態では、サンドイッチパネル１を大判化して壁ユニット２を構成するようにしたが、この発明は、壁ユニット２とせずに、建物躯体に胴縁材６０を取付けた後にサンドイッチパネル１を胴縁材６０に取付ける形式の外壁にも適用することができる。
【００８１】
以上、本発明を添付図面に示す実施形態に基づいて説明したが、本発明は上記の実施形態に限定されるものではなく、本発明の意図する範囲内であれば、適宜の設計変更が可能である。
【図１】
2019060211.tif 000003
【図２】
2019060211.tif 000004
【図３】
2019060211.tif 000005
【図４】
2019060211.tif 000006
【図５】
2019060211.tif 000007
【図６】
2019060211.tif 000008
【図７】
2019060211.tif 000009
【図８】
2019060211.tif 000010
【図９】
2019060211.tif 000011
【図１０】
2019060211.tif 000012
【図１１】
2019060211.tif 000013
【図１２】
2019060211.tif 000014